(57)【特許請求の範囲】
【請求項１】
傾斜した底面を有し地表より下に設けられた用水貯留装置であって、該用水貯留装置に貯留された用水に魚を入れ、前記用水貯留装置の上部に形成され外気に開口する開口部位から生ごみ、該生ごみの加工物または前記生ごみと前記加工物の両方を与えて前記魚を飼育しながら前記用水を貯留することを特徴とする魚を飼える用水貯留方法。
【請求項２】
用水を貯留する用水貯留装置であって、該用水貯留装置は地表より下に設けられ、外気に開口する開口部位が一端側および他端側に形成され、該用水貯留装置の底面は前記他端側から前記一端側に低く傾斜して形成され、前記開口部位から生ごみ、該生ごみの加工物または前記生ごみと前記加工物の両方を前記魚に与えて該魚を飼育できるようにしてなる魚を飼える用水貯留装置。
【請求項３】
請求項２において、少なくとも前記傾斜した底面と該底面に対向する内側上面との間の空間に前記用水貯留装置の上の使用用途によって負荷される荷重に耐えられる強度の支持部材が設けられ、該支持部材は前記魚が遊泳できる隙間を形成する柱状部を有してなる魚を飼える用水貯留装置。
【請求項４】
請求項３において、前記一端側に配置された第１の貯留槽と、前記他端側に配置された第２の貯留槽とを有し、前記第１の貯留槽と前記第２の貯留槽は剛性を有する材料で形成され、前記傾斜した底面は前記第２の貯留槽の底面から延在して形成され、前記第１の貯留槽と前記第２の貯留槽との間の前記傾斜した底面を形成する部位および該底面に対向する前記内側上面を形成する部位に水を通さないシートを使用してなる魚を飼える用水貯留装置。
【発明の詳細な説明】
【０００１】
【発明の属する技術分野】
本発明は、用水を貯留する用水貯留装置に係り、特に貯留用水を利用して魚を飼える用水貯留装置に関するものである。
【０００２】
【従来の技術】
従来、用水貯留装置は、たとえば街の公園、駐車場あるいはオートキャンプ場などの公共施設、その他の施設に設置されている。貯留された用水は防火用として使用されるのをはじめ、非常時の生活用水、渇水時の水供給源などに利用される。
【０００３】
【発明が解決しようとする課題】
上記のように用水貯留装置は、公共的施設としての性格が強いものであるが、さらに地域社会に貢献できる利用方法があれば一層好ましい。用水貯留装置を有効利用するための一つとして、用水貯留装置の槽内で魚を飼い、地域住民の憩いの場、特に子供と老人の触れ合いの場とすることができれば、地域社会に貢献でき、より豊かな社会を形成することができよう。
【０００４】
しかし、用水貯留装置の槽内で魚を飼育することは容易ではない。すなわち、糞、餌などが原因で腐敗有機物が発生し、魚が成育するに必要な溶存酸素の減少、餌の選定やその与え方、採光の仕方など魚を飼育する上で解決すべき課題が多い。
【０００５】
また、用水貯留装置の上を公園、運動場、駐車場などに利用できればさらに好ましいが、このようにするには用水貯留装置の構造を丈夫なものとしなければならないので、設置に多大の資材、労力および費用がかかる。
【０００６】
本発明は、用水貯留装置の槽内で魚を飼うことができ、用水貯留装置の上を各種用途に利用できることを課題とする。
【０００７】
【課題を解決するための手段】
上記課題を解決するため、本発明は、傾斜した底面を有し地表より下に設けられた用水貯留装置であって、該用水貯留装置に貯留された用水に魚を入れ、前記用水貯留装置の上部に形成され外気に開口する開口部位から生ごみ、該生ごみの加工物または前記生ごみと前記加工物の両方を与えて前記魚を飼育しながら前記用水を貯留することを特徴とする。
【０００８】
このようにすることにより、貯留される用水は低い側に貯留されるので、貯留された用水を利用する際には、貯留された水の略全量を有効に利用できる。底面が水平であると槽内の水すべてを利用することができないが、底面が傾斜していると槽内の水を略全量取り出すことができる。また、魚を取り出す際にも魚を一箇所に集めて取り出すことができる。このとき魚の糞、餌の残り、腐敗物などの排出物を水の移動とともに底の低い方の側に寄せて排出することが容易になる。
【０００９】
底面の傾斜は、一方の側から他方の側に漸次高くまたは低くなるようにし、その勾配は０．５〜３％、より好ましくは１〜２％とすると良い。０．５％未満では勾配が小さすぎ、用水の排出に時間がかかり、かつ排出物の移動が緩慢で傾斜面に残り排出できない。勾配が３％を超えると水の移動は良いが、排出物や魚が取り残されるおそれがある。
【００１０】
また、用水貯留装置を地表より下に設けることにより、槽内の水温を比較的一定に維持することができる。水温を一定に維持できるので魚の飼育管理が容易になる。さらに、特別の動力装置を設けることなしに、地表に降った雨水を槽内に流し込んで貯留することができる。貯留される用水は、水道水、井戸水でも良いが、さらに、地表に降った雨水を貯留するようにすると、水資源の利用の観点から好ましい。この場合、用水の貯留量が一定以上になったときに、オーバーフローさせる排水口を設けると、一定の水位まで用水が貯留される。オーバーフローさせた水は他の用途に用い、さらに余った水は河川などに放流する。
【００１１】
貯留装置に貯留された水は、緊急時の防火用水として使用されるのをはじめ、非常時の生活用水、渇水時の水供給源などに利用される。また、用水貯留装置の上面の高さを道路などの地表の高さと略同じにすれば、駐車場、運動場などに利用し易くなる。
【００１２】
また、外気に開口する開口部位が用水貯留装置の上部に形成されるので、この開口部位から光が槽内に入り込む。したがって、開口部位の下が明るくなり、この明かりを求めて飼育した魚が集まる。この場合、開口部位を離して少なくとも二箇所、たとえば一端側と他端側に設けると良い。用水貯留装置の一端側と他端側に設けた開口部位の間で魚が遊泳し易くなり、魚の活動が活発になる。
【００１３】
さらに、これらの開口部位の一つ、または複数箇所から先に記した生ごみ、この生ごみの加工物または生ごみと加工物の両方を餌として魚に与える。餌として生ごみを使用することにより、家庭、飲食店などから排出される生ごみを処理することが可能になる。生ごみは、家庭、レストラン、食品工場などから排出される残飯や食べ物の残りである。その加工物としては、たとえば生ごみを細かくきざむかひき肉のように挽いたものに熱を加えたり、油で炒めたり、油で揚げる（てんぷらにする）などの処理を施して加工物とする。
【００１４】
さらに、外気に開口する開口部位を設けることにより、用水の表面から外気中の酸素が用水中に供給され、魚を飼育するに必要な酸素濃度を維持する。この際、用水循環手段を設けると良い。用水循環手段として、たとえば水循環ポンプを設け、一端側から水を吸引し、他端側の開口部位に対応する水面に散水すると良い。こうすることにより水と空気の接触を促進し、酸素が溶け込む量を増大させる。また、開口部位は、槽内の掃除や魚の出し入れなどの際にも利用され、地域住民の鑑賞用の場ともなる。因みに開口部位の周囲に柵を設けるか、開口部位をガラスで覆い、鑑賞とともに落下防止を図る。
【００１５】
次に、傾斜した底面と該底面に対向する内側上面との間の空間に用水貯留装置の上の使用用途によって負荷される荷重に耐えられる強度の支持部材を設けると良い。こうすることにより、用水貯留装置の上からかかる荷重をこの支持部材で支えられるので、底面に対向する内側上面を形成する部位の強度を小さくすることができる。また、その部位に使用する材料の選択の幅を広げる。
【００１６】
支持部材は、合成樹脂、たとえばポリプロピレンで成形すると良い。合成樹脂で形成された支持部材は、成形性が良好であり、軽量であるので施工性が良好である。さらに、耐腐食性、耐震性、免震性、機械的強度などに優れる。また、支持部材は、魚が遊泳できる隙間を形成する柱状部を有すると良い。柱状部の形状は特に限定されないが、円柱状、角柱状、多角柱状など適宜の形状とし、さらに、中実状、中空状、円筒状などから選定する。柱状部を設けることによって隙間ができ、この隙間を魚が遊泳できる。
【００１７】
また、一端側と他端側に剛性を有する第１の貯留槽と第２の貯留槽とを配置し、第１の貯留槽と第２の貯留槽を剛性を有する材料で形成し、第１の貯留槽と第２の貯留槽との間の傾斜した底面を形成する部位および該底面に対向する内側上面を形成する部位に水を通さないシート、たとえば可撓性の合成ゴム、合成樹脂などの遮水性シートを使用すると良い。
【００１８】
このようにすると、用水貯留装置の施工が簡略化し施工性が向上する。さらに、工期も短縮される。また、傾斜した底面は第２の貯留槽の底面から延在して形成されるので、槽内の水を排出する際に第２の貯留槽から第１の貯留槽に排出物の移動が容易になる。
【００１９】
【発明の実施の形態】
以下、本発明に係る魚を飼える用水貯留方法およびこの方法を実施するための装置の実施形態を図面に基づいて詳細に説明する。なお、図１〜５において、同一または同等部分には同一符号を付けて示す。
【００２０】
図１は、本発明に係る用水貯留装置の縦断面図である。図２は、図１の平面図である。図３は、図２の I−I 線断面図である。本実施形態の魚を飼える用水貯留装置１は、たとえば街の公園、駐車場あるいはオートキャンプ場などの公共施設、その他の施設に設置される。貯留された用水は防火用として使用されるのをはじめ、非常時の生活用水、渇水時の水供給源などに利用される。また、本実施形態の用水貯留装置１において飼える魚は、鯉などの淡水魚、亀、うなぎその他の魚類生物である。
【００２１】
図１に示すように、用水貯留装置1は、地表４６より下に設けられ、一端側３に配置された第１の貯留槽６と、他端側４に配置された第２の貯留槽２０とを有する。第１の貯留槽６と第２の貯留槽２０との間には、第２の貯留槽から第１の貯留槽の方に漸次低くなるように傾斜した傾斜槽２９が形成される。第１の貯留槽６と第２の貯留槽２０は剛性を有する材料、たとえば鉄筋コンクリートで形成されるが、剛性を有する材料であればこれに限定される必要はない。
【００２２】
第１の貯留槽６と第２の貯留槽２０との間の傾斜した底面３０を形成する部位およびこれに対応する内側上面を形成する部位には遮水性シート４３ａ、４３ｂが敷設される。遮水性シート４３ａの下には保護シート４４ａを、遮水性シート４３ｂの上には保護シート４４ｂを敷設すると良い。保護シート４４ｂの上には盛り土を施す。傾斜した底面３０は、第２の貯留槽の底面２４から延在して形成される。傾斜した底面３０の勾配は、１.５％である。
【００２３】
次に、傾斜した底面３０とこの底面３０に対向する内側上面３２との間の空間３６には用水貯留装置の上５の使用用途によって負荷される荷重に耐えられる強度の支持部材３８が設けられる。支持部材３８は、その柱状部の先端４０ｂ同士を合わせて対向させて２段重ねに設けられる。
【００２４】
支持部材３８は、この実施形態においては第１の貯留槽６と第２の貯留槽２０の内部の空間にも配置されているが、必ずしも必要ではない。第１の貯留槽６と第２の貯留槽２０の内部の空間に支持部材３８を配置した場合には、傾斜槽２９に設けられる支持部材３８の水平方向または横方向の荷重を支える機能を有する。また、開口部位８、２２の周りに柵５０を設けたり、開口部位８、２２の開口を網で覆ったり、あるいは開口部位８、２２に透明プラスチックやガラスの覆い４９を設けたりすると良い。魚の遊泳を楽しむ者、特に子供や老人が落下することを防止する。
【００２５】
さらに、第１の貯留槽６と第２の貯留槽２０に設けられる支持部材３８は、特に魚が上下方向にも移動できるように、少なくとも開口部位８、２２に対応した下の部分には貫通孔または貫通スリットを形成しておくと良い。このようにすると、開口部位８、２２に対応する水面まで魚が移動できる。
【００２６】
図２に示すように、支持部材３８は、槽の全面に設けられる。さらに、開口部位８は、第１の貯留槽６の上部中央に設けられ、開口部位２２は、第２の貯留槽２０の上部両側に設けられる。
【００２７】
図３に示すように、第１の貯留槽６の底面１０は、中央に向かって傾斜して形成される。この場合、支持部材３８を設けるときに、支持部材３８が水平を保つように支持部材３８の下にレベル出し部材（図示せず）を設けると良い。第１、第２の貯留槽の底には魚の糞、餌の残りとその腐敗物その他の排出物（または堆積物）が堆積するが、特に第１の貯留槽６の底中央には排出物溜め１６が設けられる。
【００２８】
図４は、上記支持部材３８の斜視図である。支持部材３８は、平坦な面３９ａを有する平坦部３９と、魚が遊泳できる隙間を形成する柱状部４０を有する。この実施形態では平坦部３９の平坦な面３９ａを直視した形状が略正方形である。柱状部４０は対称的に四つ設けられ、平坦部側が大径のテーパー状外筒４０ａと、先端４０ｂから内側に平坦部側に折り返しテーパー状に形成した内筒４０ｃを有する。支持部材３８の材質は、たとえばポリプロピレンで形成されている。支持部材の大きさは、平坦部３９の縦横がそれぞれ７００ｍｍ前後、柱状部４０の長さが３９０ｍｍ程度である。このような支持部材３８として、たとえば株式会社林物産の商品名シンシンブロックが好適に使用される。
【００２９】
本発明の用水貯留装置は、貯留された用水５２に魚、たとえば鯉、鮒などの魚を入れ、上部に形成され開口部位、すなわち地表４６に開口する開口部位８または２２から生ごみやこの生ごみの加工物または生ごみと加工物の両方を与えて魚を飼育しながら用水を貯留する。加工物は、生ごみを挽くか粉砕して食用油中で加熱加工（てんぷら）したもので、魚が食べやすいように、大きさは小さく細分される。この際、生ごみ中に澱粉質を含むと良い。加熱により澱粉質が水分で多泡性になり水に浮き易くなるので、魚が喰いつき易くなる。なお、澱粉質は生ごみに加えても良い。
【００３０】
以上の構造を有する本実施形態の用水貯留装置１は、次のように作用する。すなわち、用水貯留装置１は地表４６より下に設けられるので、槽内の水温、たとえば摂氏１４〜２０度の間の温度で比較的一定に維持することができる。水の温度が一定に維持されると魚の飼育管理が容易になる。さらに、特別の動力装置を設けることなしに雨水を槽内に流し込んで貯留することができる。この場合、用水の貯留量が一定以上になったときに、オーバーフローさせる図示していない排水口を設ける。また、用水貯留装置１の上の空間を地表と略同じ高さにできるので、駐車場、運動場などに利用し易くなる。
【００３１】
用水貯留装置の底面３０を１.５％傾斜させることにより、最終的には第１の貯留槽６に貯留された水量の大部分を有効に利用できる。さらに、底面が傾斜した傾斜槽２９を有するので、掃除や魚を取り出す際に容易となる。すなわち、用水を第１の貯留槽６からポンプなどを使って排出すると、用水は第１の貯留槽６側に寄ってくる。同時に魚も寄ってくる。このとき排出物を水の移動とともに第１の貯留槽の側に寄せることができる。
【００３２】
開口部位は、地表から光を導入し、開口部位８，２２の下が明るくなり、この明かりを求めて飼育している魚が集まる。この場合、魚は開口部位による採光によって開口部位８と開口部位２２との間で遊泳し易くなり魚の活動が活発になる。また、これらの開口部位の一つ、または複数箇所から先に記した生ごみ、この生ごみの加工物または生ごみと加工物の両方の餌を与えることにより、魚を飼育できるとともに、家庭、飲食店などから排出される生ごみを処理することが可能になる。また、開口部位は、魚の鑑賞、槽内の掃除や魚の出し入れなどに利用され、地域住民の触れ合いの場ともなる。
【００３３】
さらに、第１、２の貯留槽６、２０を鉄筋コンクリートで構築し、これらの間に遮水性シート４３ａ、４３ｂを敷設することにより、第１の貯留槽６と第２の貯留槽２０との間の部分の施工を簡略化し、施工性を向上させることができ、工期も短縮される。傾斜槽２９の底面は第２の貯留槽２０の底面から延在して形成されるので、排出物の移動が容易になる。
【００３４】
支持部材３８は、用水貯留装置の上５の使用用途、たとえば公園の場合は主に盛り土や公園の施設によって負荷される垂直荷重に耐えられる強度のものを使用することにより、遮水性シート４３ｂにかかる重力を支える。これにより遮水性シート４３ｂが可撓性の強度が小さいシートであっても対応できる。また、支持部材３８は、柱状部４０を有しているので、この隙間を魚が遊泳できる。
【００３５】
ところで、魚を槽内で飼育するには、用水中の溶存酸素を必要な濃度に均一にすることが必要である。このため貯留槽中の用水を循環させると良い。
【００３６】
図１において、ポンプ４５により第１の貯留槽６の下方から吸い込まれた水は、ライン４６ａを介して空気注入装置４７に送り込まれる。空気注入装置４７に送り込まれた水は、空気５４が注入され、ライン４６ｂを介してノズル４８に供給される。ノズル４８に供給された水は、第２の貯留槽２０の水面５２ａに散水される。
【００３７】
図５は、図１に示した用水貯留装置で使用する空気注入装置４７の原理図である。ベンチュリー管４７ａにポンプから供給された水５５は、空気５４を吸い込んで空気を含んだ水５６として放出される。放出された水５６は、先のライン４６ｂを介してノズル４８に供給される。
【００３８】
以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。
【００３９】
【発明の効果】
本発明によれば、地表より下に設けられた用水貯留装置に魚を飼うことができ、用水貯留装置の上を各種用途に利用できる。
【図面の簡単な説明】
【図１】本発明に係る用水貯留装置の縦断面図である。
【図２】図１の平面図である。
【図３】図２の I−I 線断面図である。
【図４】図１〜３に示した用水貯留装置で使用する支持部材の斜視図である。
【図５】図１に示した用水貯留装置で使用する酸素供給装置の原理図である。
【符号の説明】
１  用水貯留装置
３  一端側
４  他端側
６  第１の貯留槽
８  開口部位
２０  第２の貯留槽
２２  開口部位
３０  傾斜した底面
３２  内側上面
３４  内側上面を形成する部位
３６  空間
３８  支持部材
４０  柱状部
４３ａ、４３ｂ  遮水性シート
５１  地表
５２  用水
【図１】
0004365508.tif 000002
【図２】
0004365508.tif 000003
【図３】
0004365508.tif 000004
【図４】
0004365508.tif 000005
【図５】
0004365508.tif 000006